(57)【特許請求の範囲】
【請求項１】
ＭＰＥＧ（Ｍｏｖｉｎｇ  Ｐｉｃｔｕｒｅ  ＥｘｐｅｒｔｓＧｒｏｕｐ）に従って圧縮されたデータを入力するＮ個の入力手段と、
前記Ｎ個の入力手段から得られる各データからフレーム内符号化画像データ（イントラピクチャデータ）のみをそれぞれ抽出するために該Ｎ個の入力手段と対応したＮ個の第１データ分離手段と、
前記Ｎ個の入力手段から得られる各データからフレーム内符号化画像データ（イントラピクチャデータ）及びフレーム間順方向予測符号化画像データ（プリディクティブピクチャデータ）をそれぞれ抽出するために該Ｎ個の入力手段と対応したＮ個の第２データ分離手段と、
前記入力手段と前記第１データ分離手段と前記第２データ分離手段とによる組をＮ組構成して、前記入力手段からのデータと、前記第１データ分離手段からのフレーム内符号化画像データと、前記第２データ分離手段からのフレーム内符号化画像データ及びフレーム間順方向予測符号化画像データとのうちからいずれか一つを各組ごとに選択するＮ個の第１信号選択手段と、
前記Ｎ個の第１信号選択手段からそれぞれ出力されたＮ個のデータを一時的に格納するＮ個のメモリ手段と、
前記Ｎ個のメモリ手段からそれぞれ出力されたＮ個のデータ出力を多重化するように切り換え選択して多重化データを得る第２信号選択手段と、
前記第２信号選択手段で多重化された前記多重化データに訂正符号を付加し、該多重化データを記録媒体に記録するための信号に変調する信号変調手段と、
回転駆動される前記記録媒体に記録を行う記録再生ヘッドを有する記録手段と、
前記Ｎ個の第１信号選択手段からそれぞれ出力されたＮ個のデータに対して単位時間あたりのデータ量を記録開始以前にそれぞれ測定するＮ個の測定手段と、
前記Ｎ個の第１信号選択手段で各組のデータを選択するにあたって、記録開始以前に前記Ｎ個の測定手段で計測された各単位時間あたりのデータ量の総和を算出し、このデータ量の総和と前記記録手段が単位時間あたりに記録可能なデータ量とを比較して、前記データ量の総和が前記記録可能なデータ量を上回ると判定された場合、予め定められた優先順位の低い順に前記第１分離手段からの出力の方又は前記第２分離手段からの出力の方を選択する制御を、前記データ量の総和が前記記録可能なデータ量を下回るまで行う制御手段と、
を備えたことを特徴とする記録再生装置。
【発明の詳細な説明】
【０００１】
【発明の属する技術分野】
本発明は、複数のＭＰＥＧ方式で圧縮された画像及び音声データを同時に記録することが可能な記録再生装置に関する。
【０００２】
【従来の技術】
近年、圧縮技術の発展によって、画像データや音声データを光ディスクへ記録することが可能となっている。図３に示す従来の光ディスク記録再生装置は、通常、一つの入力しかもっておらずデータの送信元が、他の記憶装置であるか、放送受信装置或いはカメラ装置であるかに関わらず、受信したデータを一旦バッファメモリ１０１に蓄積し、信号変調器１０２で変調処理をし、光ピックアップ１０３で順次隙間なくディスクＤに記録していることが多い。
【０００３】
外部から入力されるデータが、衛星放送やケーブルにより配信されるディジタル放送情報等であった場合、図４に示すように１つの信号に圧縮された情報として複数のチャンネルＣ１，Ｃ２が多重化されて配信され、ＳＴＢ（Ｓｅｔ  Ｔｏｐ  Ｂｏｘ）のような受信装置１１０で受信される。受信装置１１０では、複数のチャンネルから、ユーザが指定する任意のチャンネルＣ１だけを抽出し、抽出したチャンネルＣ１のみを光ディスク記録装置に出力する。
【０００４】
受信装置１１０により抽出されたデータは、任意の時間（例えば０．５秒）を圧縮単位（例えば１ＧＯＰ（Ｇｒｏｕｐ  ｏｆ  Ｐｉｃｔｕｒｅｓ））とした圧縮動画情報であることが多く、この圧縮単位あたりに要するデータ量は、放送形態或いはチャンネルによって異なる。また、同じチャンネル内でも、圧縮単位ごとにデータ量の異なる放送形態もあり得る。
【０００５】
受信装置１１０により抽出された圧縮動画情報は、データ伸長時、途切れることなく再生画面が生成できるように、図５に示すように、０．５秒の再生画面を作成するときには、平均して０．５秒の間に受信装置１１０で受信される。すなわち、０．５秒の再生画面を作成するためには、受信装置１１０でＶ１Ａ、Ｖ１Ｂ、Ｖ１Ｃ及びＶ１Ｄからなる圧縮単位のデータを０．５秒で受信することが多い。光学レンズ、ＣＣＤ、を通じて得られた画像情報を実時間で圧縮を行い記録するディジタルムービーカメラでの圧縮直後のデータも、図５と同様である。
【０００６】
カメラ装置からのカメラ信号やアナログ画像放送信号は、光ディスク記録再生装置内に設けられた画像及び音声圧縮部によってデータ圧縮処理され、圧縮直後のデータも、図５に示すようになる。
【０００７】
また、外部記憶装置から得られるディジタル圧縮画像データは、図６に示すように、画像データとして有効なデータがつめられた状態で光ディスク記録再生装置に入力され、一旦バッファメモリ１０１に蓄積してからディスクＤへの記録が行われる。光ディスク記録再生装置は、バッファメモリ１０１のデータ蓄積量が最大になったら外部記憶装置にデータ送出を停止させ、最大でなくなったら外部記憶装置に対しデータ送出を要求する処理を繰り返す。
【０００８】
更に、ディスクＤに前記信号を記録する場合には、光ディスク記録再生装置は、図５或いは図６に示すように入力される信号を一旦バッファメモリ１０１で蓄積し、画像データとして有効なデータをつめた状態にした上で、データ蓄積量が訂正符号を付加する上での最低単位に達した時点で、信号変調器１０２で訂正符号を付加し、ＥＦＭ（Ｅｉｇｈｔ  Ｆｏｕｒｔｅｅｎ  Ｍｏｄｕｌａｔｉｏｎ）変調等の変調を施して、光ピックアップ１０３により回転駆動するディスクＤに記録を行う。
【０００９】
【発明が解決しようとする課題】
上述の従来の光ディスク記録再生装置は、２つの信号入力部を有し、かつその２つの信号入力部から入力されるＭＰＥＧ圧縮画像信号を同時に記録することができる十分な記録レートを備える場合には、双方の信号を同時に記録することができるが、２つのＭＰＥＧ圧縮画像信号のデータ転送レートを加算した値が、記録可能な記録レートを超える場合には、少なくとも一方の信号を記録することができないという不都合が発生する。
【００１０】
そこで、本発明は、上述したような実情に鑑みて提案されたものであり、複数の信号入力をすることができる記録再生装置において、記録漏れを発生させずに複数の信号を記録することを目的とする。
【００１１】
【課題を解決するための手段】
請求項１に記載の本発明に係る記録再生装置は、上述の課題を解決するために、ＭＰＥＧ（Ｍｏｖｉｎｇ  Ｐｉｃｔｕｒｅ  ＥｘｐｅｒｔｓＧｒｏｕｐ）に従って圧縮されたデータを入力するＮ個の入力手段と、
前記Ｎ個の入力手段から得られる各データからフレーム内符号化画像データ（イントラピクチャデータ）のみをそれぞれ抽出するために該Ｎ個の入力手段と対応したＮ個の第１データ分離手段と、
前記Ｎ個の入力手段から得られる各データからフレーム内符号化画像データ（イントラピクチャデータ）及びフレーム間順方向予測符号化画像データ（プリディクティブピクチャデータ）をそれぞれ抽出するために該Ｎ個の入力手段と対応したＮ個の第２データ分離手段と、
前記入力手段と前記第１データ分離手段と前記第２データ分離手段とによる組をＮ組構成して、前記入力手段からのデータと、前記第１データ分離手段からのフレーム内符号化画像データと、前記第２データ分離手段からのフレーム内符号化画像データ及びフレーム間順方向予測符号化画像データとのうちからいずれか一つを各組ごとに選択するＮ個の第１信号選択手段と、
前記Ｎ個の第１信号選択手段からそれぞれ出力されたＮ個のデータを一時的に格納するＮ個のメモリ手段と、
前記Ｎ個のメモリ手段からそれぞれ出力されたＮ個のデータ出力を多重化するように切り換え選択して多重化データを得る第２信号選択手段と、
前記第２信号選択手段で多重化された前記多重化データに訂正符号を付加し、該多重化データを記録媒体に記録するための信号に変調する信号変調手段と、
回転駆動される前記記録媒体に記録を行う記録再生ヘッドを有する記録手段と、
前記Ｎ個の第１信号選択手段からそれぞれ出力されたＮ個のデータに対して単位時間あたりのデータ量を記録開始以前にそれぞれ測定するＮ個の測定手段と、
前記Ｎ個の第１信号選択手段で各組のデータを選択するにあたって、記録開始以前に前記Ｎ個の測定手段で計測された各単位時間あたりのデータ量の総和を算出し、このデータ量の総和と前記記録手段が単位時間あたりに記録可能なデータ量とを比較して、前記データ量の総和が前記記録可能なデータ量を上回ると判定された場合、予め定められた優先順位の低い順に前記第１分離手段からの出力の方又は前記第２分離手段からの出力の方を選択する制御を、前記データ量の総和が前記記録可能なデータ量を下回るまで行う制御手段と、
を備えたことを特徴とする記録再生装置を提供するものである。
【００３１】
【発明の実施の形態】
以下、本発明の実施の形態について図面を参照しながら詳細に説明する。
【００３２】
本発明は、例えば図１に示すように構成された光ディスク記録再生装置に適用される。
【００３３】
光ディスク記録再生装置は、外部から第１の放送信号を受信する第１の受信部１１、第１のＩ（Ｉｎｔｒａ）フレーム抽出部１２、第１の信号選択部１３、第１のバッファメモリ１４、第１のデータレート計測手段１５を備える。
【００３４】
第１の受信部１１には、上述の図４を用いて説明したように、複数のチャンネルが多重化されて配信された第１の放送信号が入力される。第１の受信部１１は、受信した第１の放送信号から、ユーザ所望のチャンネルのプログラムを抽出して、第１のデータストリームを生成する。
【００３５】
ここで、第１の受信部１１に入力される第１の放送信号は、ＭＰＥＧ（Ｍｏｖｉｎｇ  Ｐｉｃｔｕｒｅ  Ｅｘｐｅｒｔｓ  Ｇｒｏｕｐ）方式で圧縮された圧縮画像データ及び圧縮音声データを含む。この第１の受信部１１は、第１のデータストリームを第１のＩフレーム抽出部１２に出力するとともに、第１の信号選択部１３に出力する。
【００３６】
第１のＩフレーム抽出部１２は、第１の受信部１１からの第１のデータストリームから、ＭＰＥＧ規格に準拠したフレーム内符号化画像（イントラピクチャ）（以下、Ｉフレームと呼ぶ。）のみ、或いはＩフレーム及びフレーム間順方向予測符号化画像（プリディクティブピクチャ）（以下、Ｐフレームと呼ぶ。）のみを抽出し、Ｉフレームのみ、或いはＩフレーム及びＰフレームからなるデータストリーム（以下、第１の抽出ストリームと呼ぶ。）を図示しないＣＰＵからの選択信号により、いずれか一方を選択して第１の信号選択部１３に出力する。
【００３７】
第１の信号選択部１３は、第１の受信部１１又は第１のＩフレーム抽出部１２からの第１のデータストリーム又は第１の抽出ストリームを、図示しないＣＰＵ（Ｃｅｎｔｒａｌ  Ｐｒｏｃｅｓｓｉｎｇ  Ｕｎｉｔ）からの切換信号に従って、第１のバッファメモリ１４及び第１のデータレート計測手段１５に出力する。
【００３８】
第１のバッファメモリ１４は、第１の信号選択部１３で選択された第１のデータストリーム又は第１の抽出ストリームを蓄積する。
【００３９】
第１のデータレート計測手段１５は、入力された第１のデータストリーム又は第１の抽出ストリームのデータレートを計測する。第１のデータレート計測手段１５は、入力された第１のデータストリーム又は第１の抽出ストリームの１ＧＯＰの先頭を示すシーケンスヘッダを抽出し、次に続くシーケンスヘッダまでのデータ量を計測することにより、第１のバッファメモリ１４に蓄積された１ＧＯＰ分のデータ量（データレート）を算出する。この第１のデータレート計測手段１５は、計測結果を比率算出部３１に出力する。
【００４０】
また、光ディスク記録再生装置は、外部から第２の放送信号を受信する第２の受信部２１、第２のＩフレーム抽出部２２、第２の信号選択部２３、第２のバッファメモリ２４、第２のデータレート計測手段２５を備える。
【００４１】
第２の受信部２１には、上述の図４を用いて説明したように、複数のチャンネルが多重化されて配信された第２の放送信号が入力される。第２の受信部２１は、受信した第２の放送信号から、ユーザ所望のチャンネルのプログラムを抽出して、第２のデータストリームを生成する。
【００４２】
ここで、第２の受信部２１に入力される第２の放送信号は、ＭＰＥＧ（Ｍｏｖｉｎｇ  Ｐｉｃｔｕｒｅ  Ｅｘｐｅｒｔｓ  Ｇｒｏｕｐ）方式で圧縮された圧縮画像データ及び圧縮音声データである。この第２の受信部２１は、第２のデータストリームを第２のＩフレーム抽出部２２に出力するとともに、第２の信号選択部２３に出力する。
【００４３】
第２のＩフレーム抽出部２２は、第２の受信部２１からの第２のデータストリームから、フレーム内符号化画像（イントラピクチャ）（以下、Ｉフレームと呼ぶ。）のみ、或いはＩフレーム及びフレーム間順方向予測符号化画像（プリディクティブピクチャ）（以下、Ｐフレームと呼ぶ。）のみを抽出し、Ｉフレームのみ、或いはＩフレーム及びＰフレームからなるデータストリーム（以下、第２の抽出ストリームと呼ぶ。）を、図示しないＣＰＵからの選択信号により、いずれか一方を選択して第２の信号選択部２３に出力する。
【００４４】
第２の信号選択部２３は、第２の受信部２１又は第２のＩフレーム抽出部２２からの第２のデータストリーム又は第２の抽出ストリームを、図示しないＣＰＵからの切換信号に従って、第２のバッファメモリ２４及び第２のデータレート計測手段２５に出力する。
【００４５】
第２のバッファメモリ２４は、第２の信号選択部２３で選択された第２のデータストリーム又は第２の抽出ストリームを蓄積する。
【００４６】
第２のデータレート計測手段２５は、入力された第２のデータストリーム又は第２の抽出ストリームのデータレートを計測する。第２のデータレート計測手段２５は、入力された第２のデータストリーム又は第２の抽出ストリームの１ＧＯＰの先頭を示すシーケンスヘッダを検出し、次に続くシーケンスヘッダまでのデータ量を計測することにより、第２のバッファメモリ２４に蓄積された１ＧＯＰ分のデータ量（データレート）を算出する。この第２のデータレート計測手段２５は、計測結果を比率算出部３１に出力する。
【００４７】
更に、光ディスク記録再生装置は、比率算出部３１、信号制御部３２、第３の信号選択部３３、第３のバッファメモリ３４、信号変調部３５、光ピックアップ３６、光ディスク回転駆動部３７を備える。
【００４８】
第３の信号選択部３３には、第１のバッファメモリ１４から第１のデータストリーム又は第１の抽出ストリーム、第２のバッファメモリ２４から第２のデータストリーム又は第２の抽出ストリームが入力される。第３の信号選択部３３は、図示しないＣＰＵからの切換制御信号に従って、入力されるいずれかのストリームを第３のバッファメモリ３４に出力する。
【００４９】
比率算出部３１は、第１のデータレート計測手段１５及び第２のデータレート計測手段２５からの計測結果に基づいて、第１のバッファメモリ１４に蓄積された１ＧＯＰ分のデータ量ｉと、第２のバッファメモリ２４に蓄積された１ＧＯＰ分のデータ量ｊとの比率を算出する。比率算出部３１は、比率算出結果を信号制御部３２に出力する。
【００５０】
信号制御部３２は、比率算出結果に基づいて、第１のバッファメモリ１４からのストリームと第２のバッファメモリ２４からのストリームとを切換出力するための切換制御信号を第３の信号選択部３３に供給する。このとき、信号制御部３２は、例えば光ディスクＤ上の物理セクターの単位のような１ＧＯＰよりも小さく、かつ固定値で表せる単位で、第１のバッファメモリ１４に格納されたストリームデータをｉセクター分だけ第３のバッファメモリ３４に書き込み、次いで第２のバッファメモリ２４に格納されたストリームデータをｊセクター分だけ第３のバッファメモリ３４に書き込む制御を交互に繰り返してする。
【００５１】
第３の信号選択部３３は、信号制御部３２の制御により入力されるいずれかのデータを第３のバッファメモリ３４に出力する。第３の信号選択部３３は、いずれかのストリームデータを第３のバッファメモリ３４に出力するに際して、所定の単位毎にデータの種類を示すフラグ信号を付加する。
【００５２】
第３の信号選択部３３は、図２に示すように、例えば第１の受信部１１からのストリームデータであるか第２の受信部２１からのストリームデータであるかを示すフラグ信号を付加した２つのストリームデータを重畳したデータ列を生成する。
【００５３】
図２によれば、ｃｈ１−ｘｘが一つ目のデータストリームを示し、第３の信号選択部３３は、例えば第１の受信部１１からのｃｈ１−Ａ１，Ａ２，Ａ３と、第２の受信部２１からのｃｈ２−Ｂ１，Ｂ２，Ｂ３とをあわせて１つのＧＯＰとし、各ｃｈ１−Ａ１，Ａ２，Ａ３の先頭に第１の受信部１１からのストリームデータであることを示すフラグ信号（フラグ１）を付加するとともに、各ｃｈ２−Ｂ１，Ｂ２，Ｂ３の先頭に第２の受信部２１からのストリームデータであることを示すフラグ信号（フラグ２）を付加する。
【００５４】
また、第３の信号選択部３３は、Ｉフレーム抽出部１２又は第２のＩフレーム抽出部２２で生成されたＩフレームのみ、或いはＩフレーム及びＰフレームのみからなる第１の抽出ストリーム及び第２の抽出ストリームを選択するときには、その旨を示すフラグ信号を付加する。
【００５５】
第３のバッファメモリ３４は、第３の信号選択部３３からのデータを一旦蓄積し、信号変調部３５に出力する。信号変調部３５は、訂正符号を付加するのに十分なデータに付加情報を付加して変調をした後に光ピックアップ３５に出力する。光ピックアップ３５は、ＣＰＵにより制御され、信号変調部３５からの信号を光ディスクＤに記録する。
【００５６】
このような光ディスク記録再生装置において、図示しないＣＰＵがユーザから第１の放送信号から生成される第１のデータストリームと、第２の放送信号から生成される第２のデータストリームの双方を光ディスクＤに記録する命令を受けた場合、先ず、ＣＰＵは、第１のデータストリーム及び第２のデータストリームを選択するように第１の信号選択部１３及び第２の信号選択部２３を制御する。
【００５７】
ＣＰＵは、第１のデータレート計測手段１５で得られる第１のデータストリームのデータレートと、第２のデータレート計測手段２５で得られる第２のデータストリームのデータレートとの総和が、光ディスクＤにデータを記録する記録レートを下回る場合には、全てのデータストリームを同時に記録する制御をする。
【００５８】
一方、ＣＰＵは、第１のデータレート計測手段１５で得られる第１のデータストリームのデータレートと、第２のデータレート計測手段２５で得られる第２のデータストリームのデータレートとの総和が、光ディスクＤにデータを記録する記録レートを上回る場合には、予め定められた優先順位に従って、第１の抽出ストリーム又は第２の抽出ストリームを記録するように切り替える制御をする。
【００５９】
ＣＰＵは、例えば第２の放送信号の優先順位が最も低いときや、第２の放送信号の優先順位が第１の放送信号の優先順位よりも低いときには、まず、第２の抽出ストリームの内容がイントラピクチャ＋プリディクティブピクチャとなるように第２のＩフレーム抽出部２２を制御し、第２の信号選択部２３で得られる第２の抽出ストリームを第２の信号選択部２３で選択した後、再度比較手段にて比較を行い（処理１とする。）、再びデータ量の総和が記録手段が単位時間あたりに記録可能なデータ量を上回ると判定された場合に以下の処理を行う。
【００６０】
すなわち、第２の抽出ストリームの内容がイントラピクチャのみとなるように第２のＩフレーム抽出部２２を制御し（処理２とする。）、比較手段によってデータ量の総和が記録手段が単位時間あたりに記録可能なデータ量を上回ると判断されたとき、第１の抽出ストリームの内容がイントラピクチャ＋プリディクティブピクチャとなるように第１のＩフレーム抽出部１２を制御した後、第１の信号選択部１３で第１の抽出ストリームを選択し（処理３とする。）、再度比較を行う。
【００６１】
また、これらの処理によってもデータ量の総和が記録可能なデータ量を上回ると判定されたときには、第１の抽出ストリームの内容がイントラピクチャのみとなるようにＩフレーム抽出部１２を制御する（処理４とする。）。
【００６２】
なお、前記第３の処理において、第２の抽出ストリームの内容はイントラピクチャのみであっても、イントラピクチャ＋プリディクティブピクチャであってもよい。さらに、処理２と処理３との順番は入れ替わってもよい。
【００６３】
そして、ＣＰＵは第１のデータレート計測手段１５で得られるデータレートと、第２のデータレート計測手段２５で得られるデータレートとの総和が、記録レートを下回ると判定されたら、この処理を停止して、第１のデータストリーム及び第２のデータストリームを記録する制御する。
【００６４】
このような処理を行う光ディスク記録再生装置によれば、予め定められた優先順位に従って、優先順位の高い放送信号については全てのストリームデータを光ディスクＤに記録し、優先順位が低い放送信号についてはＩフレームのみ、或いはＩフレーム及びＰフレームのみを抽出して２つの放送信号を同時に記録することができる。
【００６５】
したがって、この光ディスク記録再生装置によれば、複数の放送信号を同時に記録する命令を受けた場合であっても、適切なフラグ信号をデータストリームに付加することで複数の放送信号を同時に記録することができるとともに、記録する複数のデータストリームのデータレートの総和が、記録レートを上回る場合でも漏れのない記録を行うことができる。
【００６６】
なお、上述の実施の形態の説明では、２つの放送信号を記録する場合について説明したが、これは放送信号が２つ以上であってもよいことは勿論である。
【００６７】
【発明の効果】
請求項１に記載の本発明に係る記録再生装置は、記録すべきデータのデータ量の総和が、記録手段が単位時間あたりに記録可能なデータ量を上回ると制御手段で判定された場合には、優先順位の低い順にイントラピクチャのみの出力の方又はイントラピクチャ及びプリディクティブピクチャの出力の方をメモリ手段に格納するように第１信号選択手段を制御するので、複数の信号入力して、記録漏れを発生させずに複数の信号を記録媒体に同時に記録することができる。
【図面の簡単な説明】
【図１】本発明を適用した実施の形態の光ディスク記録再生装置の構成を示すブロック図である。
【図２】本発明を適用した実施の形態の光ディスク記録再生装置において、第３の信号選択部からの出力を説明するための図である。
【図３】従来の光ディスク記録再生装置を示すブロック図である。
【図４】受信装置で受信したデータを抽出することを説明する図である。
【図５】受信装置により抽出された圧縮動画情報を示す図である。
【図６】外部記憶装置から得られるディジタル圧縮画像データを示す図である。
【符号の説明】
１１…第１の受信部、２１…第２の受信部、３２…信号制御部、３３…第３の信号選択部、３４…第３のバッファメモリ、３５…信号変調部、３６…光ピックアップ
【図１】
0003743269.tif 000002
【図２】
0003743269.tif 000003
【図３】
0003743269.tif 000004
【図４】
0003743269.tif 000005
【図５】
0003743269.tif 000006
【図６】
0003743269.tif 000007